(57)【要約】【課題】貯湯ユニットの据付強度を確保しつつ狭小スペースへの据付作業性を向上させることが可能な貯湯式給湯機の据付機構を提供する。【解決手段】貯湯ユニット１００を支持する据付脚２０１は、その下端に座面部２０１ｂを備えている。固定金具２１０は、据付面に設けられたアンカーボルト２２０が挿入される穴２１２が形成された固定部２１１と、固定部２１１がアンカーボルト２２０により据付面に固定された状態で据付面に対して一定の隙間を介して延在する支持部２１３と、を備えており、貯湯ユニット１００をスライドさせて据付脚２０１の座面部２０１ｂを当該隙間に挿入させると、固定金具２１０の爪部２１４ａが据付脚２０１の係止部２０１ｄと係合される。【選択図】図６
2015068537.tif 000002
【特許請求の範囲】
【請求項１】
貯湯タンクを内蔵する貯湯ユニットと、前記貯湯ユニットを支持する据付脚と、前記据付脚を据付面に固定するための係止部材と、を有する貯湯式給湯機の据付機構であって、
前記据付脚は、
前記貯湯ユニットから鉛直方向に延びる脚部と、
前記脚部の下端に設けられ、据付面と接する座面部と、を備え、
前記係止部材は、
据付面に設けられたアンカー部材が挿入される穴が形成された固定部と、
前記固定部が前記アンカー部材により据付面に固定された状態で据付面に対して一定の隙間を介して延在するよう構成された支持部と、
前記隙間に前記座面部を挿入した場合に、前記据付脚と係合する係合部と、
を備えて成る貯湯式給湯機の据付機構。
【請求項２】
前記係合部は、
前記支持部の一部として構成され、前記据付脚の挿入方向に沿って延在する梁部と、
前記梁部の先端部から据付面方向に突出した爪部と、を含み、
前記据付脚は、前記爪部を係止するための係止部が前記座面部に形成されて成る請求項１に記載の貯湯式給湯機の据付機構。
【請求項３】
前記係止部材は、複数の前記係合部を備えて成る請求項１または２に記載の貯湯式給湯機の据付機構。
【請求項４】
前記据付脚は、前記座面部における前記係止部材への挿入方向に沿った辺から鉛直上方に立設された補強部を含み、
前記係止部材は、前記補強部の内側面に対向する側面部を備え、
前記係合部は、前記側面部の一部として構成され、前記据付脚の挿入方向に沿って延在する第２の梁部と、
前記第２の梁部の先端部から前記側面部の外側方向に突出した第２の爪部と、を含み、
前記据付脚は、前記第２の爪部と係合するための第２の係止部が前記補強部に形成されて成る請求項１から３の何れか１項に記載の貯湯式給湯機の据付機構。
【請求項５】
前記据付脚は、前記貯湯ユニットの背面寄りに設けられた据付脚を含む請求項１から４の何れか１項に記載の貯湯式給湯機の据付機構。
【発明の詳細な説明】
【技術分野】
【０００１】
本発明は、貯湯タンクを内蔵する貯湯ユニットの据付脚を据付面に固定するための据付機構に関するものである。
【背景技術】
【０００２】
従来の貯湯式給湯機の貯湯ユニットは、集合住宅等における壁面凹部のような狭小スペース等であっても、貯湯ユニットをスライドさせて固定するために、貯湯ユニット据付脚底面に切欠溝形孔を有する構造となっている（例えば、特許文献１）。
【先行技術文献】
【特許文献】
【０００３】
【特許文献１】特開２００５−１２７６７０号公報
【発明の概要】
【発明が解決しようとする課題】
【０００４】
特許文献１に記載の貯湯ユニット据付脚構造では、据付基礎に配設されているアンカーボルトへ貯湯ユニットの据付脚底面に設けられた鍵溝形孔を挿通させるために、貯湯ユニットを前後左右へスライドさせる必要がある。しかしながら、集合住宅における壁面凹部のような狭小スペース等では、貯湯ユニットを左右へ動かすことは困難であり、貯湯ユニット外装ケースの破損、および据付作業の悪化が懸念される。また、設置後の作業スペースの少ない据付基礎への設置の場合、製品自体が障害物となり、奥側の脚を固定するためのアンカーボルトにナット止めすることが困難であるという課題がある。また、上述した先行技術の脚構造では、貯湯ユニット据付脚底面に切欠溝形孔等の形状を設けることとしているため、据付脚底面の強度が低下する。特に高層ビル等の集合住宅への貯湯ユニットの設置は高い耐震強度が必要とされており、地震の揺れに対する十分な強度が得られない可能性がある。
【０００５】
本発明は、上記のような課題を解決するためになされたものであって、貯湯ユニットの据付強度を確保しつつ狭小スペースへの据付作業性を向上させることが可能な貯湯式給湯機の据付機構を提供することを目的とする。
【課題を解決するための手段】
【０００６】
本発明に係る貯湯式給湯機の据付機構は、貯湯タンクを内蔵する貯湯ユニットと、貯湯ユニットを支持する据付脚と、据付脚を据付面に固定するための係止部材と、を有する貯湯式給湯機の据付機構であって、据付脚は、貯湯ユニットから鉛直方向に延びる脚部と、脚部の下端に設けられ、据付面と接する座面部と、を備え、係止部材は、据付面に設けられたアンカー部材が挿入される穴が形成された固定部と、固定部がアンカー部材により据付面に固定された状態で据付面に対して一定の隙間を介して延在するよう構成された支持部と、隙間に座面部を挿入した場合に、据付脚と係合する係合部と、を備えるものである。
【発明の効果】
【０００７】
本発明によれば、貯湯ユニットの据付強度を確保しつつ狭小スペースへの据付作業性を向上させることが可能となる。
【図面の簡単な説明】
【０００８】
【図１】本発明の実施の形態１に係る貯湯ユニットの据付構成を示す斜視図である。
【図２】本発明の実施の形態１の固定金具の構成を説明するための図である。
【図３】本発明の実施の形態１の固定金具と据付脚との係合機構を上方から見た図である。
【図４】図３におけるＡ−Ａ断面を示す図である。
【図５】本発明の実施の形態２の固定金具の構成を説明するための図である。
【図６】本発明の実施の形態２の固定金具と据付脚との係合機構を上から見た図である。
【図７】本発明の実施の形態３の固定金具の構成を説明するための図である。
【図８】本発明の実施の形態３の固定金具と据付脚との係合機構を水平方向に切断した断面図である。
【発明を実施するための形態】
【０００９】
以下、図面を参照して、本発明の実施の形態について説明する。尚、各図において同一部分または相当部分は、同一の符号を付して、重複する説明を省略する。
【００１０】
実施の形態１．
本発明の実施の形態１に係る貯湯式給湯機の貯湯ユニットについて、図１〜図４を参照して説明する。図１は本発明の実施の形態１に係る貯湯ユニットの据付構成を示す斜視図である。なお、図１では、高層ビル等の集合住宅の壁に設けられた壁面凹部３００に貯湯ユニット１００を設置する際の構成を示している。貯湯ユニット１００は略直方体の形状を有し、その外郭が外郭前面ケース、外郭右側面ケース、外郭左側面ケース、外郭背面ケース、外郭上面ケース、および外郭底面ケースによって構成されている。なお、以下の説明では、外郭前面ケースに沿った水平方向を貯湯ユニット１００の左右方向とし、外郭右側面ケースに沿った水平方向を前後方向とする。また、鉛直方向を貯湯ユニット１００の上下方向とする。
【００１１】
貯湯ユニット１００の内部には貯湯タンク（図示せず）が収納されており、この貯湯タンクの外周と貯湯ユニット１００の外郭との間は断熱材（図示せず）で覆われている。また、貯湯ユニット１００には、機体を支持するための据付脚として、外郭底面ケースの前面側中央部に配置された１本の据付脚２００と背面側両隅に配置された２本の据付脚２０１とが設けられている。なお、以下の説明では奥側の据付脚２０１に据付機構を適用した場合について説明するが、前側の据付脚２００についても同様の据付機構を適用してもよい。据付脚２０１は、貯湯ユニット１００の底面から鉛直方向に延びる脚部２０１ａと、脚部２０１ａの下端に設けられ、据付面と接する座面部２０１ｂと、により構成されている。また、座面部２０１ｂは、その左右端から上方に屈曲した補強部２０１ｃを備えている。
【００１２】
図１に示すように、据付面には３本のアンカーボルト２２０が打ち付けられる。打ち付けられたアンカーボルト２２０には、固定金具（係止部材）２１０が固定される。図２は、本発明の実施の形態１の固定金具の構成を説明するための図である。この図に示すように、固定金具２１０は、固定部２１１と、穴２１２と、支持部２１３と、梁部２１４と、側面部２１５と、により構成されている。固定部２１１は、据付面に固定される部位であり、アンカー部材としてのアンカーボルト２２０を挿入するための穴２１２が設けられている。また、支持部２１３は、固定部２１１から前方向へ延出された部位であって、固定金具２１０を据付面に固定した際に、据付面との間に座面部２０１ｂを挿入して支持するための隙間が形成されるように構成されている。また、支持部２１３の中央部は片持ち梁構造の梁部２１４として構成されている。梁部２１４の先端には、下方向に向かって爪部２１４ａが設けられている。さらに、固定金具２１０の左右端には、前後方向に沿って上方向に延出する側面部２１５が形成されている。側面部２１５は、固定金具２１０の断面係数を増加させて耐震強度を向上させるためのものである。
【００１３】
図３は、本発明の実施の形態１の固定金具と据付脚との係合機構を上方から見た図である。また、図４は、図３におけるＡ−Ａ断面を示す図である。図１に示すとおり、貯湯ユニット１００を据付面に設置する際には、先ず固定金具２１０が据付面に固定される。より詳しくは、図３および図４に示すように、据付面に予め固定されたアンカーボルト２２０に固定金具２１０の穴２１２およびスペーサー２２１が順に挿入されて、ナット２２２で締結される。次に、据付面に固定した固定金具２１０に対して貯湯ユニット１００の据付脚２０１を後方向にスライドさせて、据付脚２０１の座面部２０１ｂを支持部２１３と据付面との隙間に挿入させる。この際、座面部２０１ｂは固定金具２１０の梁部２１４を上方に撓ませながら奥へと挿入される。そして、座面部２０１ｂが隙間の最奥まで挿入されると、梁部２１４の先端に設けられている爪部２１４ａが座面部２０１ｂに設けられた係止部（穴）２０１ｄと係合する。これにより、貯湯ユニット１００の据付脚２０１が据付面に固定される。
【００１４】
以上説明したとおり、本発明の実施の形態１の係合機構によれば、アンカーボルト２２０に予め固定金具２１０を固定した上で、据付脚２０１を固定金具２１０に向けてスライドさせて固定する機構のため、狭小スペースへの据付作業を容易に行うことが可能となる。
【００１５】
実施の形態２．
次に、本発明の実施の形態２に係る貯湯ユニットについて、図５及び図６を参照して説明する。図５は、本発明の実施の形態２の固定金具の構成を説明するための図である。また、図６は、本発明の実施の形態２の固定金具と据付脚との係合機構を上から見た図である。
【００１６】
図５及び図６に示すように、本実施の形態２の固定金具２１０は、梁部２１４及び爪部２１４ａを支持部２１３の左右両側に備える構成が実施の形態１の固定金具と異なる。また、実施の形態２の据付脚２０１の座面部２０１ｂには、固定金具２１０の爪部２１４ａと係合する位置（２箇所）に係止部（穴）２０１ｄが設けられている。
【００１７】
このような構成によれば、据付脚２０１と固定金具２１０とが複数箇所で係合するので、揺れに対する強度の向上を図るとともに、横方向へのずれ及び横揺れに対するアンカーボルト２２０を軸とした回転を抑止することが可能となる。
【００１８】
ところで、上述した実施の形態２の据付機構では、梁部２１４及び爪部２１４ａを２箇所に備える構成について説明したが、３箇所以上に設置することとしてもよい。
【００１９】
実施の形態３．
次に、本発明の実施の形態３に係る貯湯ユニットについて、図７及び図８を参照して説明する。図７は、本発明の実施の形態３の固定金具の構成を説明するための図である。また、図８は、本発明の実施の形態３の固定金具と据付脚との係合機構を水平方向に切断した断面図である。
【００２０】
図７及び図８に示すように、本実施の形態３の固定金具２１０は、側面部２１５の前側に第２の梁部２１５ａが形成されるとともに、その先端部には外側を向いた第２の爪部２１５ｂが形成されている。また、据付脚２０１の補強部２０１ｃには、固定金具２１０の第２の爪部２１５ｂを係止するための第２の係止部２０１ｅが設けられている。
【００２１】
このような構成によれば、据付脚２０１と固定金具２１０とが複数箇所で係合するので、揺れに対する強度の向上を図るとともに、横方向へのずれ及び横揺れに対するアンカーボルト２２０を軸とした回転を抑止することが可能となる。
【００２２】
ところで、上述した実施の形態３の係合機構は、実施の形態１又は２における係合機構とともに構成されていてもよい。これにより、更なる係止強度の向上を図ることができる。
【符号の説明】
【００２３】
１００  貯湯ユニット、  ２００  据付脚（前側）、  ２０１  据付脚（奥側）、  ２０１a 脚部、  ２０１ｂ  座面部、  ２０１ｃ  補強部、  ２０１ｄ  係止部、  ２０１ｅ  第２の係止部、２１０  固定金具（係止部材）、  ２１１  固定部、  ２１２  穴、  ２１３  支持部、  ２１４  梁部（係合部）、  ２１４ａ  爪部（係合部）、  ２１５  側面部、  ２１５ａ  第２の梁部、  ２１５ｂ  第２の爪部、２２０  アンカーボルト、  ２２１  スペーサー、  ２２２  ナット、
【図１】
2015068537.tif 000003
【図２】
2015068537.tif 000004
【図３】
2015068537.tif 000005
【図４】
2015068537.tif 000006
【図５】
2015068537.tif 000007
【図６】
2015068537.tif 000008
【図７】
2015068537.tif 000009
【図８】
2015068537.tif 000010